(57)【要約】【課題】台紙に貼り付いた状態のラベルが薄く腰が相対的に弱くなっても、台紙が板状部材の先端で折り返して移動する剥離部で容易にこの台紙から剥離可能なラベル剥離装置およびラベル剥離方法を得ること。【解決手段】台紙２１２に貼り付いた状態のラベル２１３が板状の治具２０３の先端部分２０４に到達して折り返すとき（図（Ａ））、指２２１でラベル２１３の中央部を矢印２２２方向に加圧して切り欠きからなる後退部２０５に沿った形状となるように変形させる（図（Ｂ））。これによりラベル２１３が台紙２１２から剥離する（図（Ｃ））。【選択図】図３
2009248977.tif 000002
【特許請求の範囲】
【請求項１】
一方の面に粘着性ののりを塗布した所定サイズのラベルの前記のりの塗布された面を台紙の一方の面に剥離自在な粘性によって貼り付けた長尺物を繰り出す長尺物繰り出し手段と、
この長尺物繰り出し手段によって繰り出された長尺物における前記台紙の他方の面が移動する方向に沿って存在する第１の面と、この長尺物が折り返した後の前記台紙の他方の面が移動する方向に沿って存在する第２の面とを両面とする板状部材であって、折り返し地点としてのその先端部における前記ラベルの移動する幅の領域の中央部がこの領域の両端部に対して前記長尺物繰り出し手段によって繰り出された位置の方向に所定距離だけ後退した形状となった切り欠き部を有する板状部材と、
この板状部材の前記折り返し地点としての先端部で折り返され、前記ラベルが剥離された後の前記長尺物における前記台紙を前記第２の面に沿って移動した後に回収する台紙回収手段
とを具備することを特徴とするラベル剥離装置。
【請求項２】
前記ラベルを前記長尺物繰り出し手段が前記長尺物を繰り出す前に印字する印字手段を具備することを特徴とする請求項１記載のラベル剥離装置。
【請求項３】
前記切り欠き部は、前記ラベルが前記先端部に位置するときこのラベルを介して前記台紙を指の先端で押し込むことが可能なサイズに形成されていることを特徴とする請求項１または請求項２記載のラベル剥離装置。
【請求項４】
前記所定距離は、前記ラベルの中央がこの距離分だけ後退したときそのラベルが腰の強さで前記台紙の表面から剥離を完全に行える湾曲形状となる長さであることを特徴とする請求項１または請求項２記載のラベル剥離装置。
【請求項５】
一方の面に粘着性ののりを塗布した所定サイズのラベルの前記のりの塗布された面を台紙の一方の面に剥離自在な粘性によって貼り付けた長尺物を繰り出す長尺物繰り出し手段と、この長尺物繰り出し手段によって繰り出された長尺物における前記台紙の他方の面が移動する方向に沿って存在する第１の面と、この長尺物が折り返した後の前記台紙の他方の面が移動する方向に沿って存在する第２の面とを両面とする板状部材であって、折り返し地点としてのその先端部における前記ラベルの移動する幅の領域の中央部がこの領域の両端部に対して前記長尺物繰り出し手段によって繰り出された位置の方向に所定距離だけ後退した形状となった切り欠き部を有する板状部材と、この板状部材の前記折り返し地点としての先端部で折り返され、前記ラベルが剥離された後の前記長尺物における前記台紙を前記第２の面に沿って移動した後に回収する台紙回収手段とを備えたラベル剥離装置から前記長尺物繰り出し手段によって繰り出された前記長尺物の前記ラベルが前記板状部材の先端部で折り返されるタイミングで、このラベルの前記中央部に対応する部分を前記台紙を介して前記切り欠き部を前記長尺物繰り出し手段によって繰り出された位置の方向と逆方向に加圧する加圧ステップと、
この加圧ステップの加圧によって前記ラベルが前記切り欠き部の切り欠かれた部位に沿って変形したとき前記加圧を解除する加圧解除ステップ
とを具備することを特徴とするラベル剥離方法。
【請求項６】
前記ラベルを前記長尺物繰り出し手段が前記長尺物を繰り出す前に印字する印字ステップを具備することを特徴とする請求項５記載のラベル剥離方法。
【発明の詳細な説明】
【技術分野】
【０００１】
本発明は、ラベルを台紙から剥離するラベル剥離装置およびラベル剥離方法に関する。
【背景技術】
【０００２】
台紙にラベルを予め貼り付けた用紙が市販されている。このような用紙のラベル側に印刷を行ったものを用意し、台紙からラベルを剥がして、物体の表面に次々と貼り付ける作業を行うには、ラベル剥離装置を使用するのが便利である。
【０００３】
図５は、本発明に関連する第１の関連技術を使用したラベル剥離装置の外観を表わしたものである。ラベル剥離装置１００は、図示しないロール紙を収容した装置本体１０４を備えている。このロール紙は、帯状の台紙１０１に所定の間隔を置いてラベル１０２を予め貼り付けたラベル付き台紙１０３をロール状に巻回したものである。装置本体１０４のラベル排出側の側面１０５からは、板状の治具１０６がその上面を水平に保つように突き出している。
【０００４】
側面１０５における治具１０６の取り付けられた箇所のわずか上の位置と、わずか下の位置には治具１０６の取り付けられた個所を上下に挟むように、スリット状の台紙排出口１０７と台紙取り込み口１０８が互いに平行に開口している。ラベル付き台紙１０３は、前記したロール紙から解きほぐされて、台紙排出口１０７から繰り出され、治具１０６の上面に沿って移動してその先端部の剥離部１０９で下方に曲げられる。この剥離部１０９では、台紙１０１が急角度に屈曲して折り返す。台紙１０１の上に貼り付けられたラベル１０２は、この剥離部１０９で、台紙表面から剥離する。
【０００５】
一方、剥離部１０９を経た台紙１０１は治具１０６の下面に沿って移動する。そして、台紙取り込み口１０８から装置本体１０４内に取り込まれる。装置本体１０４内には、図示しない駆動機構が存在し、台紙１０１を矢印１１１で示した方向に順次移動させるようになっている。作業者は剥離部１０９で台紙１０１から順に剥離されるラベル１０２を手で受け取って、図示しない物体の所望の位置に貼り付けることになる。
【０００６】
図６は、図５に示したラベル剥離装置を治具の板面が紙面に垂直となる方向から見たものであり、図５に示した時点よりもわずかに後の状態を示している。帯状の台紙１０１に、順に第１〜第３のラベル１０２1〜１０２3が貼り付けられている。第１のラベル１０２1から順に剥離部１０９に到達するものとする。第１の関連技術で使用された第１〜第３のラベル１０２1〜１０２3は、厚さが比較的厚く、腰が強いものを使用している。
【０００７】
剥離部１０９に到達する前の第２および第３のラベル１０２2、１０２3は、それらと台紙１０１の接触した面が並行している。このため、第２および第３のラベル１０２2、１０２3は、これらの下面に塗布された「のり」によって台紙１０１に対して粘着性を保っており、両者はこの状態で剥離せずに移動する。
【０００８】
一方、剥離部１０９に到達した第１のラベル１０２1は、その厚さが厚く、硬くて腰が強いことによって台紙１０１の急激な曲げによる曲率半径の変化に追従することができない。台紙１０１はセパレータとも呼ばれており、剥がしやすい表面となっている。このため「のり」の粘着力に打ち勝って、第１のラベル１０２1は、剥離部１０９で台紙１０１の表面から剥離する。このとき、第１のラベル１０２1はほとんど湾曲しない。台紙１０１から剥離された「のり」は経時変化として粘着力を増し、物体にしっかりと貼り付く。
【０００９】
ところで、図５および図６に示したラベル剥離装置で取り扱う台紙１０１は、ラベル１０２を剥離した後はゴミになる。このため、資源の節約からできるだけ薄いものを使用する要請がある。台紙１０１が薄くなると、これに伴ってラベル１０２も相対的に薄く柔らかいものが使用され、その腰も弱くなる傾向がある。
【００１０】
ところが、ラベル１０２の腰が弱くなっていくと、剥離部１０９で湾曲しやすくなる。この結果、剥離部１０９での台紙１０１の急激な曲率半径の変化にラベル１０２が湾曲して追従する可能性が高まり、剥離に失敗するという現象が発生するようになる。そこで、剥離部１０９で台紙１０１の曲率を急激に変化させるという手法だけでなく、他の手法を採り入れることで、ラベル１０２の剥離を確実に行えるようにする第２の関連技術が提案されている（たとえば特許文献１参照）。
【００１１】
図７は、この第２の関連技術における剥離部の近傍を表わしたものである。剥離部１２０に存在する剥離板１２１は、その先細の形状をした先端部がそれぞれ所定幅の溝部１２２を間に配置した合計４本の突起部１２３から構成されている。それぞれの突起部１２３の先細となる先端は、鋭角αに尖った形状となっている。
【００１２】
台紙１２４とその上に貼り付けられたラベル１２５は、剥離板１２１の先細となる手前の位置まで共に搬送される。そして、先細となった箇所から台紙１２４のみが突起部１２３の先端に巻きつくように搬送方向を変える。ラベル１２５には、図示しない円筒状の１対のローラが全幅にわたって転接しており、ラベル表面が突起部１２３に押し付けられるようになっている。このため、突起部１２３に対応するラベル表面では、ラベル１２５の移動に沿ったガイドが可能であるが、溝部１２２に対応するラベル表面部位は、凹状に窪んだ形状に変形する。この結果、剥離板１２１を通過後のラベル１２５の搬送方向１２７と直交する断面は、突起部１２３に対応した箇所を山とし、溝部１２２に対応した箇所を谷とするトタン屋根の亜鉛メッキ鋼鈑状の形状になる（図では簡略に描いているために水平な平板のように表わしている）。
【００１３】
このような断面形状によって、ラベル１２５は腰が強い状態になって搬送方向１２７以外の方向に屈曲し難くなる。このため、ラベル１２５は、台紙１２４が矢印１２９方向に進路を変更しても、これに追随せずに搬送方向１２７に直進し、台紙１２４の表面から剥離することになる。
【特許文献１】特開２００７−０７６７２１号公報（第００４０段落〜第００４２段落、図６）
【発明の開示】
【発明が解決しようとする課題】
【００１４】
ところで、この第２の関連技術では、剥離板１２１の幅とラベル１２５の幅が一致している。そして、４つの突起部１２３とその間の３つの溝部１２２によってラベル１２５を複数の波が連なる波型の断面形状に変形させるようにして、腰を強め、台紙１２４の進路変更に応じないようにしている。
【００１５】
この第２の関連技術を図５に示したような幅の短いラベル１０２に適用する場合を考える。すると、図５に示した幅のラベル１０２自体が形成する波の数が大幅に少なくなり、波の形状が平面形状へと容易に変形してしまい、腰が強くならない。したがって、ラベル１０２（図５）は台紙１２４と共に湾曲して、矢印１２９方向に搬送されることになる。この場合には、当然ながらラベル１０２は台紙１２４からの剥離に失敗したことになる。
【００１６】
また、図７に示した本発明の第２の関連技術では、剥離部１２０を経た幅の広い台紙１２４を図示しない１対のローラで引き寄せることになる。このとき台紙１２４の搬送方向に直交する方向が複数の波が連なる波型の断面形状となる場合には、前記した１対のローラの間でこれらの波が「しわ」を発生させることになり、これによりジャム（紙詰まり）を発生させるおそれがあった。
【００１７】
そこで本発明の目的は、台紙に貼り付いた状態のラベルが薄く腰が相対的に弱くなっても、台紙が板状部材の先端で折り返して移動する剥離部で容易にこの台紙から剥離可能なラベル剥離装置およびラベル剥離方法を提供することにある。
【課題を解決するための手段】
【００１８】
本発明では、（イ）一方の面に粘着性ののりを塗布した所定サイズのラベルの前記したのりの塗布された面を台紙の一方の面に剥離自在な粘性によって貼り付けた長尺物を繰り出す長尺物繰り出し手段と、（ロ）この長尺物繰り出し手段によって繰り出された長尺物における前記した台紙の他方の面が移動する方向に沿って存在する第１の面と、この長尺物が折り返した後の前記した台紙の他方の面が移動する方向に沿って存在する第２の面とを両面とする板状部材であって、折り返し地点としてのその先端部における前記したラベルの移動する幅の領域の中央部がこの領域の両端部に対して前記した長尺物繰り出し手段によって繰り出された位置の方向に所定距離だけ後退した形状となった切り欠き部を有する板状部材と、（ハ）この板状部材の前記した折り返し地点としての先端部で折り返され、前記したラベルが剥離された後の前記した長尺物における前記した台紙を前記した第２の面に沿って移動した後に回収する台紙回収手段とをラベル剥離装置に具備させる。
【００１９】
また、本発明では、（イ）一方の面に粘着性ののりを塗布した所定サイズのラベルの前記したのりの塗布された面を台紙の一方の面に剥離自在な粘性によって貼り付けた長尺物を繰り出す長尺物繰り出し手段と、この長尺物繰り出し手段によって繰り出された長尺物における前記した台紙の他方の面が移動する方向に沿って存在する第１の面と、この長尺物が折り返した後の前記した台紙の他方の面が移動する方向に沿って存在する第２の面とを両面とする板状部材であって、折り返し地点としてのその先端部における前記したラベルの移動する幅の領域の中央部がこの領域の両端部に対して前記した長尺物繰り出し手段によって繰り出された位置の方向に所定距離だけ後退した形状となった切り欠き部を有する板状部材と、この板状部材の前記した折り返し地点としての先端部で折り返され、前記したラベルが剥離された後の前記した長尺物における前記した台紙を前記した第２の面に沿って移動した後に回収する台紙回収手段とを備えたラベル剥離装置から前記した長尺物繰り出し手段によって繰り出された前記した長尺物の前記したラベルが前記した板状部材の先端部で折り返されるタイミングで、このラベルの前記した中央部に対応する部分を前記した台紙を介して前記した切り欠き部を前記した長尺物繰り出し手段によって繰り出された位置の方向と逆方向に加圧する加圧ステップと、（ロ）この加圧ステップの加圧によって前記したラベルが前記した切り欠き部の切り欠かれた部位に沿って変形したとき前記した加圧を解除する加圧解除ステップとをラベル剥離方法に具備させる。
【発明の効果】
【００２０】
以上説明したように本発明によれば、ラベル剥離装置の板状部材の先端部で台紙を折り返すとき、台紙に貼り付けられたラベルに、この先端部の切り欠き部を利用して先端部に沿った曲線と逆方向に湾曲する力を与えることを可能にしたので、各種のサイズや厚さならびに腰の強さのラベルを、幅広く台紙から剥離することが可能になる。したがって、１台のラベル剥離装置で各種のラベルの剥離に適応可能になる。
【発明を実施するための最良の形態】
【００２１】
次に本発明を一実施の形態に基づいて説明する。
【００２２】
図１は、本発明の一実施の形態におけるラベル剥離装置の構成を表わしたものである。このラベル剥離装置２００の装置本体２０１の内部には、ラベルの貼り付けられた台紙をロール状に巻回した図示しないロール紙が収容されている。装置本体２０１の図で右側に位置する側面２０２からは、板状の治具２０３がその上面を水平に保つように突き出している。この治具２０３の先端部分２０４には、側面２０２からの垂直距離が両端部でＬ1となり、中央部がこれよりもＬ2だけ短くなるような切り欠きからなる後退部２０５が形成されている。具体例を挙げると、治具２０３の板の厚さが１．５ｍｍであるのに対して、後退部２０５の深さとしての距離Ｌ2は１１ｍｍとなっている。距離Ｌ1は、距離Ｌ2よりもある程度長ければよい。
【００２３】
側面２０２には、治具２０３の取り付けられた部位を上下に挟むような形で、台紙排出口２０７と台紙取込口２０８がそれぞれ開口している。前記したロール紙は台紙排出口２０７から治具２０３の上部に沿うようにして排出され、その先端部分２０４の位置で下側に屈曲して、台紙取込口２０８から装置本体２０１内に取り込まれるようになっている。
【００２４】
図２は、ラベル剥離装置の板状の治具にロール紙が装着された状態を表わしたものである。台紙排出口２０７から排出されるロール紙２１１は、ロール状の台紙２１２と、この上に、搬送方向に間隔を置いて貼り付けられた複数のラベル２１３から構成されている。ラベル２１３は、図示を省略するが、たとえば携帯電話機の銘板ラベルのように、予め文字等の画像情報が印刷されている。図２に示した例で使用される台紙２１２は、図５に示した台紙１０１よりも厚さが薄くなっている。また、台紙２１２に貼り付けられたラベル２１３の厚さも、図５に示したラベル１０２の厚さよりも薄くなっている。
【００２５】
この結果、この例で、ラベル２１３の腰は材質や製法が同一であると仮定すると、図５に示したラベル１０２のそれよりも弱くなっている。治具２０３の先端部分２０４における剥離部２１５では、台紙２１２が湾曲して、その進行方向を矢印２１６で示すように１８０度変更する。そこで、何らの措置も講じない状態では、台紙２１２に貼り付いた状態のラベル２１３も図示のようにこれに応じて剥離部２１５で湾曲する。このままの状態でラベル２１３が移動を続ければ、台紙２１２からラベル２１３は剥離しないことになる。
【００２６】
なお、本実施の形態のラベル剥離装置２００でも、図５および図６で示した厚さおよび腰の強さのラベル１０２を使用することができる。この場合、ラベル１０２はこれらの図で示したと同様に剥離部２１５で剥離する。本実施の形態のラベル剥離装置２００の場合には、作業者が腰の弱いラベル２１３を使用した場合であっても、図１に示した後退部２０５の箇所を何らかの手段で加圧することによって、ラベル２１３を台紙２１２から確実に剥離することができる。これを次に説明する。
【００２７】
図３（Ａ）〜（Ｃ）は、ラベル剥離装置の剥離部の周囲を上部から見た場合のラベルの剥離の様子の時間的な変化を示したものである。また、図４（Ａ）〜（Ｃ）は、図３（Ａ）〜（Ｃ）にそれぞれ対応したもので、図３（Ａ）のＤ−Ｄ方向に切断した場合の断面構造を表わしたものである。これらの図で（Ａ）は加圧前を表わしており、（Ｂ）は加圧時の状態を表わしている。更に、（Ｃ）は加圧後の状態を表わしている。
【００２８】
まず、図３（Ａ）および図４（Ａ）について説明する。これらの図は、図２に示した状態と同一の状態を示しており、腰の弱いラベル２１３は台紙２１２にほぼ全面が貼り付いて湾曲して移動する状態にある。
【００２９】
次に、図３（Ｂ）および図４（Ｂ）について説明する。作業者は、ラベル２１３が図３（Ａ）および図４（Ａ）に示す移動状態のとき、指２２１あるいは爪の先端をこのラベル２１３の表面のほぼ中央に接触させて、後退部２０５の箇所に押し込むように矢印２２２方向に移動させる。このようにラベル２１３のほぼ中央部分を加圧すると、台紙２１２の対応する箇所２２３も後退部２０５の箇所に向かって局部的に凹む。
【００３０】
これにより、台紙２１２における指２２１によって局部的な圧力を受ける箇所２２３は、後退部２０５に沿って、今までの湾曲方向と逆方向に湾曲するように変化する。また、この台紙２１２の局部的な湾曲の反転箇所に習うように、ラベル２１３自体も指２２１を包むような方向に湾曲方向を反転させる力を受ける。ラベル２１３の周辺部は台紙２１２に固定されてはおらず、比較的弱い粘着力で台紙２１２に貼り付いた状態となっている。そこで、ラベル２１３がその湾曲方向を反転させる力を受けると、台紙２１２に対する貼り付いた状態を保つことができず、ラベル２１３の周辺部から矢印２２５、２２６に示すように剥離する。
【００３１】
このようにして剥離が行われるタイミングで指２２１を後退させると、台紙２１２が窪んだ状態から復帰する力がラベル２１３に押圧力として作用し、図３（Ｃ）および図４（Ｃ）に示すようにラベル２１３が台紙２１２の表面から離脱する。ラベル２１３は自身の腰の作用で、湾曲状態から平面状態に復帰しようとする。作業者は、図示しない指で台紙２１２から剥離したラベル２１３を掴み、同じく図示しない物体の表面に貼り付ければよい。
【００３２】
以上のような作業者による操作は、指２２１あるいはその爪を台紙２１２からラベル２１３が剥離する現象が生じるまで後退部２０５に押し付けるという簡単な処理動作からなる。すなわち、ラベル２１３がその種類によって厚さや腰の強さが異なるとしても、作業者は指２２１あるいはその爪をラベル２１３に押し当てる力を調整することで、剥離作業をいずれの場合でも完結することができる。すなわち、図２に示したように台紙２１２がラベル２１３を連続的に搬送している状態で、作業者はラベル２１３を剥離部２１５で次々と押すだけで、台紙２１２から剥すことができ、剥離後のラベル２１３の端を指で掴んで、携帯電話機等の物体の所望の位置に貼り付けることができる。
【００３３】
なお、本実施の形態の説明では指２２１あるいはその爪をラベル２１３の表面に押し付けることにしたが、金属製や木製等の棒状部材をこの代わりに押し付けるようにしてもよい。
【００３４】
以上説明したように本実施の形態のラベル剥離装置によれば、台紙よりも薄く柔らかいラベルの場合には、作業者がラベルの表面に力を加えるという簡単な処理でこれを剥離することができる。また、ある程度厚さがあり、硬い腰のあるラベルの場合には、剥離部で何ら処理を付加することなく台紙から剥離することができる。したがって、ラベル剥離装置が各種の台紙やラベルに対応することが可能になる。
【００３５】
また、作業者は特別の剥離作業を行うことなく、台紙２１２からラベル２１３を剥離することができる。したがって、銘板ラベル等の各種のラベルを物体に貼り付ける作業が効率化する。
【００３６】
なお、実施の形態では、装置本体２０１に収容するロール紙のラベル２１３に文字等の画像情報が予め印刷されたものを使用することにしたが、これに限るものではない。たとえば装置本体２０１は、その内部に印字機構を内蔵していてもよい。この場合には、ラベル２１３自体は、白紙あるいはプレプリントされた文字や画像情報が印刷されており、印字機構が必要な情報を印字することになる。
【００３７】
このように装置本体２０１に印字機構を内蔵するようにすれば、１台のラベル剥離装置２００のロール紙２１１（図２）を取り替える必要なく、各種のラベル２１３を台紙２１２から剥離して物体に貼り付けることができる。
【００３８】
また、実施の形態では後退部２０５の具体的な形状を示したが、これに限定されるものではない。台紙２１２に貼り付けたラベル２１３のサイズや腰の強さ等の諸条件によって、後退部２０５の形状やサイズは各種変形することができることは当然である。
【００３９】
更に実施の形態では、板状の治具２０３よりも上側の位置に装置本体２０１の台紙排出口２０７を配置し、下側の位置に台紙取込口２０８を配置したが、これに限る必要はない。すなわち、これと逆に板状の治具２０３よりも上側の位置に装置本体２０１の台紙取込口２０８を配置し、下側の位置に台紙排出口２０７を配置してもよい。また、板状の治具２０３はロール紙２１１等の長尺物を収容した装置本体の側面から水平となるように張り出している必要はなく、たとえば垂直となるように張り出していてもよい。更に、板状の治具２０３が水平方向から所定の角度だけ上向きあるいは下向きに傾斜した角度となるように配置されていてもよい。
【図面の簡単な説明】
【００４０】
【図１】本発明の一実施の形態におけるラベル剥離装置のロール紙を取り付ける前の状態を示す斜視図である。
【図２】本実施の形態でラベル剥離装置の板状の治具にロール紙が装着された状態を示す斜視図である。
【図３】本実施の形態でラベルの剥離の際の時間的な変化を示す剥離部周囲の平面図である。
【図４】本実施の形態で図３（Ａ）のＤ−Ｄ方向に剥離部周囲を切断した場合の、同図（Ａ）〜（Ｃ）に対応した断面図である。
【図５】本発明に関連する第１の関連技術としてのラベル剥離装置の外観を表わした斜視図である。
【図６】図５に示したラベル剥離装置を治具の板面が紙面に垂直となる方向から見た側面図である。
【図７】本発明の第２の関連技術における剥離部の近傍を示した要部斜視図である。
【符号の説明】
【００４１】
２００  ラベル剥離装置
２０１  装置本体
２０３  板状の治具
２０４  治具の先端部分
２０５  後退部
２１１  ロール紙
２１２  台紙
２１３  ラベル
２１５  剥離部
２２１  指
２２２  矢印
【図１】
2009248977.tif 000003
【図２】
2009248977.tif 000004
【図３】
2009248977.tif 000005
【図４】
2009248977.tif 000006
【図５】
2009248977.tif 000007
【図６】
2009248977.tif 000008
【図７】
2009248977.tif 000009